(57)【要約】【課題】押圧される位置の真後以外に配置可能なスイッチ用部品等を、容易に実現できる導電装置を提供する。【解決手段】第１の導電部を有するハウジング部と、当該ハウジング部に挿通され、前後方向に移動可能に設けられた可動部と、この可動部を前方へ付勢するバネ部とを有し、前記可動部が前方に位置する第１の状態と、前記可動部が前記バネ部の付勢力に抗して押し込まれた第２の状態とを取り得る装置であり、前記第２の状態において前記第１の導電部に対して所期の導通状態を達成する導電装置であって、前記ハウジング部はその外側面が被取付対象に取付けられる取付面となり、前記可動部の前端側には前記ハウジング前面より前方に突出した作動部が片持ち支持されており、当該作動部は前記ハウジング外側面よりも外側に延出された被押圧部が形成されている導電装置とする。【選択図】図１０
2017107724.tif 000002
【特許請求の範囲】
【請求項１】
第１の導電部を有するハウジング部と、当該ハウジング部に挿通され、前後方向に移動可能に設けられた可動部と、この可動部を前方へ付勢するバネ部とを有し、前記可動部が前方に位置する第１の状態と、前記可動部が前記バネ部の付勢力に抗して押し込まれた第２の状態とを取り得る装置であり、前記第２の状態において前記第１の導電部に対して所期の導通状態を達成する導電装置であって、
前記ハウジング部はその外側面が被取付対象に取付けられる取付面となり、前記可動部の前端側には前記ハウジング前面より前方に突出した作動部が片持ち支持されており、当該作動部は前記ハウジング外側面よりも外側に延出された被押圧部が形成されていることを特徴とする導電装置。
【請求項２】
前記作動部は前記ハウジングの取付面側に延びて当該取付面よりも外側に被押圧部が形成されていることを特徴とする請求項１に記載の導電装置。
【請求項３】
前記可動部は前記ハウジング部の相対向する内側側壁に摺接する一対のガイド部が形成され、当該一対のガイド部を結ぶ方向が前記作動部の延びる方向に対応することを特徴とする請求項１または請求項２に記載の導電装置。
【請求項４】
前記一対のガイド部の一方は前記ハウジング部の内側側壁に形成された案内溝部に摺動自在に嵌合していることを特徴とする請求項３に記載の導電装置。
【請求項５】
前記作動部が固定される前側形成部と、
前記一方のガイド部を含むように、前記前側形成部の上側を後方へ折り曲げて形成された上側形成部と、
前記他方のガイド部を含むように、前記前側形成部の下側を後方へ折り曲げて形成された下側形成部と、
前記バネ部を含むように、前記前側形成部の左側を後方へ折り曲げて形成された左側形成部と、
前記バネ部を含むように、前記前側形成部の右側を後方へ折り曲げて形成された右側形成部と、が一枚の金属板材により形成されていることを特徴とする請求項３または請求項４に記載の導電装置。
【請求項６】
前記可動部を押し込むことにより前記第１導電部と電気的に接続される第２導電部が設けられていることを特徴とする請求項１から請求項５の何れかに記載の導電装置。
【請求項７】
前記下側形成部に形成された上向き凸部が前記第１導電部に形成された下向き凸部に衝接することにより、当該第１、第２導電部が電気的接続状態となることを特徴とする請求項６に記載の導電装置。
【請求項８】
前記作動部の被押圧部と前記第２導電部とは電気的に接続状態であることを特徴とする請求項６または請求項７に記載の導電装置。
【請求項９】
前記作動部の被押圧部と前記第１導電部とは電気的に接続されていることを特徴とする請求項１から請求項５の何れかに記載の導電装置。
【請求項１０】
請求項１から請求項８の何れかに記載の導電装置と、
前方から押圧操作がなされる操作部と、を備え、
前記押圧操作によって前記被押圧部が後方へ押圧されるよう形成され、
前記第１導電部と前記第２導電部とが所期の導通状態を達成したことを検出し、該検出に応じて処理を行うことを特徴とする電子機器。
【請求項１１】
請求項８または請求項９に記載の導電装置と、
前記可動部の前記被押圧部に圧接された電気部品と、備え、
当該電気部品と、前記第１電極との間に所期の導通状態を達成していることを特徴とする電子機器。
【発明の詳細な説明】
【技術分野】
【０００１】
本発明は、スイッチ用部品や導体間の接続用部品などに利用可能な導電装置、およびこれを備えた電子機器に関する。
【背景技術】
【０００２】
一般的に電子機器は収納、設置スペース等の観点から小型化が望まれるが、特に携帯型の電子機器は更に薄型化も求められている。このため、例えばスマートフォン等では、使用部品を小型化するばかりでなく、多機能化、高機能化に伴う操作スイッチの増加に対応して、特許文献１や特許文献２に示すように、機器の厚みの薄い側面にまで操作スイッチ（以下、便宜的に「サイドスイッチ」と称する）を設ける構成が採用されている。しかも、最近では、前記サイドスイッチを設けた携帯型電子機器に対して駆動時間を十分に確保するため大容量のバッテリーを搭載することが更に求められるため、図１７、図１８に示されるように、構成が複雑化している。
【０００３】
図１７は最近の携帯型の電子機器Ｙ´（スマートフォン）の一例を示す構成図であり、図１８は、図１７に示したＢ−Ｂ断面図の一部を拡大表示した図である。機器Ｙ´は、表面に電気回路が形成された基板Ｙ１、駆動電力を供給するバッテリーＹ２、上側が開口した筐体Ｙ３、および筐体Ｙ３の上に被せる蓋（不図示）などから構成されている。筐体Ｙ３の底部Ｙ４には、図示しないが画像を表示する液晶ディスプレイ等が設けられている。
【０００４】
バッテリーＹ２は、駆動時間を十分に確保するため大容量となっており、基板Ｙ１とほぼ同じか、少し広めの平板状を成し、筐体Ｙ３の底部のディスプレイと基板Ｙ１との間に配置されている。このため、基板Ｙ１が筐体Ｙ３の側壁上端Ｙ３´とほぼ同じ高さに位置している。前記側壁は機器全体の構造、デザイン、その他設計などの都合から図１７、図１８に示した高さを限度としている。
【０００５】
筐体Ｙ３の側部には、押圧操作によって内側へ移動する操作部ＯＰと、外側部分が内向きに押された際に電気信号を発生させるスイッチ用部品ＳＥが設けられている。スイッチ用部品ＳＥは、操作部ＯＰの真後へ配置されることによって操作部ＯＰに押圧され、押圧操作に応じた電気信号を発生させることが出来る。この信号は、スイッチ用部品ＳＥから基板Ｙ１上の電気回路に伝達され、機器Ｙ´は当該信号に応じた処理を行う。
【先行技術文献】
【特許文献】
【０００６】
【特許文献１】特開2013-229737号公報
【特許文献２】特開2013-247655号公報
【発明の概要】
【発明が解決しようとする課題】
【０００７】
前記携帯型電子機器において、前記スイッチ用部品ＳＥは操作部ＯＰの真後、すなわちサイドスイッチＯＰとバッテリーＹ２側面との間のごく限られたスペースに配置されている。つまり、筐体Ｙ３内側に形成した取付部（図示せず）に、取付けられている。そのためスイッチ用部品ＳＥは、必要な機能を保持しながらも、非常に小さく（例えば外形が数ミリ程度の直方体）されるが、スイッチ機能を保持したままでは小型化にも限度がある。しかも、スイッチ用部品ＳＥは筐体Ｙ３側に取り付けられているため、押圧操作に応じた電気信号をスイッチ用部品ＳＥから基板Ｙ１上の電気回路へ伝達する配線（不図示）が別途例えばフレキシブル基板等が必要となる。そのため機器の構成の複雑化、更には製造コスト増大や製造工程の複雑化などが問題となり易い。
【０００８】
また、図示はしないが、携帯型の電子機器においては、内蔵アンテナなどの電子部品を主たる基板Ｙ１に形成された回路と接続する場合に、筐体Ｙ３内の側壁に沿って収納した場合も前記スイッチ用部品ＳＥと同様に別途接続配線を行っており、前記と同様の問題があった。
【０００９】
本発明は上述した事情に鑑み、前記電子機器等に用いられて、当該機器の小型化、構成の簡単化、更には製造の簡素化を図るのに好適な導電装置、更にはこれを用いた電子機器の提供を目的とする。なお、導電装置は、電子機器のサイドスイッチ用のみではなく、他の個所においても効果的に使用できるものである。
【課題を解決するための手段】
【００１０】
（１）本発明に係る導電装置は、第１の導電部を有するハウジング部と、当該ハウジング部に挿通され、前後方向に移動可能に設けられた可動部と、この可動部を前方へ付勢するバネ部とを有し、前記可動部が前方に位置する第１の状態と、前記可動部が前記バネ部の付勢力に抗して押し込まれた第２の状態とを取り得る装置であり、前記第２の状態において前記第１の導電部に対して所期の導通状態を達成する導電装置であって、前記ハウジング部はその外側面が被取付対象に取付けられる取付面となり、前記可動部の前端側には前記ハウジング前面より前方に突出した作動部が片持ち支持されており、当該作動部は前記ハウジング外側面よりも外側に延出された被押圧部が形成されていることを特徴とする。なお、ここでの「前方」とは、上記スペースの開口方向に合わせて便宜的に定めたものに過ぎない。また上記の「側方」とは、前後方向と略直交する方向を指す。
【００１１】
本発明の導電装置によれば、被取付対象においてハウジング部の取付位置と被押圧部の利用位置とが、当該ハウジング部の間口方向にずれている場合でも当該部品だけで対応出来るので、部品の低減と構成の簡単化を図ることが出来る。
【００１２】
（２）また上記構成において、前記作動部は前記ハウジングの取付面側に延びて当該取付面よりも外側に被押圧部が形成されている構成としても良い。
【００１３】
本構成によれば、被取付対象である例えば電子機器の基板表面に導電装置のハウジング部を取付けた場合、当該基板の側面或いはそれを越えて反対面側に至る処に、作動部の被押圧部を位置させることが出来るので、当該電子機器の設計上、操作部が当該基板の取付面を反対面側に超えた位置にずれても、作動部の被押圧部を前記操作部に対向させるようにすることが出来る。従って、電子機器の例えば操作部に対向する位置（例えば真後）に小型スイッチを設け、このスイッチの電気信号を前記基板に電気的に接続するための接続部品を別途設ける必要がなく、機器の小型化、構成の簡素化を図ることが出来る。
【００１４】
（３）また上記構成において、前記可動部は前記ハウジング部の相対向する内側側壁に摺接する一対のガイド部が形成され、当該一対のガイド部を結ぶ方向が前記作動部の延びる方向に対応する構成としても良い。本構成によれば、作動部の被押圧部が押圧されると可動部を後方へ押し込むと同時に可動部を傾けようとする力も発生することになるが、この力は一対のガイド部とハウジング部の内側側壁とで制限されるので、当該可動部が斜めに成ることを効果的に抑えることが出来る。その結果、可動部は、前後方向にスムーズに移動する。
【００１５】
（４）また上記構成において、前記一対のガイド部の一方は前記ハウジング部の内側側壁に形成された案内溝部に摺動自在に嵌合している構成としても良い。本構成によれば、一方のガイド部の上下両面を案内溝部で案内するので、可動部の動きをよりスムーズにすると共に、当該ガイド部を所定の位置に正確に案内する。
【００１６】
（５）また上記構成において、前記作動部が固定される前側形成部と、前記一方のガイド部を含むように、前記前側形成部の上側を後方へ折り曲げて形成された上側形成部と、前記他方のガイド部を含むように、前記前側形成部の下側を後方へ折り曲げて形成された下側形成部と、前記バネ部を含むように、前記前側形成部の左側を後方へ折り曲げて形成された左側形成部と、前記バネ部を含むように、前記前側形成部の右側を後方へ折り曲げて形成された右側形成部と、が一枚の金属板材により形成されている構成としても良い。
【００１７】
（６）また上記構成において、前記可動部を押し込むことにより前記第１導電部と電気的に接続される第２導電部が設けられている構成としても良い。本構成によれば、導電装置を押圧型の電気的スイッチとして利用することが出来る。
【００１８】
（７）また上記構成において、前記下側形成部に形成された上向き凸部が前記第１導電部に形成された下向き凸部に衝接することにより、当該第１、第２導電部が電気的接続状態となる構成としても良い。本構成によれば、作動部の被押圧部を押圧して、引出電極と導電部とが接触すると、クリック感が得られる。
【００１９】
（８）また上記構成において、前記作動部の被押圧部と前記第２導電部とは電気的に接続状態である構成としても良い。本構成によれば、前記被押圧部に電気部品の接続部を接触させることにより、第２導電部と電気的に接続状態となるので、例えば、アンテナ等と回路基板の回路とを接続するコネクタとして用いることが出来る。
【００２０】
（９）また上記構成において、前記作動部の被押圧部と前記第１導電部とは電気的に接続されている構成としても良い。本構成によれば、前記被押圧部が前記バネ部の弾性を用いた電気的接点となる。従って、電気的に接続すべき２点間が間口方向にずれていてもこの２点に対して第１導電部と被押圧部とを対応させることで、コネクタとして用いることが出来る。特に、アンテナ等を回路基板と電気的にも物理的にも接続する場合、アンテナ等は被押圧部に弾接するので、安定した接続状態を得ることが出来る。
【００２１】
（１０）また本発明に係る電子機器は、上記構成の導電装置と、前方から押圧操作がなされる操作部と、を備え、前記押圧操作によって前記被押圧部が後方へ押圧されるよう形成され、前記第１導電部と前記第２導電部とが所期の導通状態を達成したことを検出し、該検出に応じて処理を行う構成とする。本構成によれば、機器の操作部と導電装置とが間口方向にずれていても、当該導電装置の被押圧部を前記操作部に対応させることにより、別のスイッチや接続部品を用いることが無いので、電子機器の構成が簡単化される。
【００２２】
（１１）また本発明に係る電子機器は、上記構成の導電装置と、前記可動部の前記被押圧部に圧接された電気部品と、備え、当該電気部品と、前記第１電極との間に所期の導通状態を達成している構成としても良い。本構成によれば、導電装置のハウジングと間口方向にずれた位置に被押圧部を位置させ、この部分で電気部品と電気的に接続することが可能となる。従って、例えば、スマートフォンなどのアンテナを基板の回路と接続する場合、当該スマートフォンの側壁部分を用いることが可能となり、構成を簡単化することが出来る。
【発明の効果】
【００２３】
本発明に係る導電装置によれば、被取付対象においてハウジング部の取付位置と被押圧部の利用位置が、当該ハウジング部の間口方向にずれている場合に、別部品等を用いることなく対応出来るので、部品の低減と構成の簡単化を図ることが出来る。また本発明に係る電子機器によれば、本発明に係る導電装置の利点を享受することが可能となる。
【図面の簡単な説明】
【００２４】
【図１】本実施形態に係る導電装置Ｘの外観斜視図である。
【図２】導電装置Ｘの別方向から見た外観斜視図である。
【図３】導電装置Ｘの更に別方向から見た外観斜視図である。
【図４】導電装置Ｘの分解斜視図である。
【図５】本実施形態に係るハウジング部の斜視図である。
【図６】本実施形態に係るハウジング部の別方向から見た斜視図である。
【図７】本実施形態に係るハウジング部の更に別方向から見た斜視図である。
【図８】本実施形態に係る作動部と各金属部材に関する構成図である。
【図９】本実施形態に係る作動部と各金属部材に関する構成図である。
【図１０】導電装置Ｘの断面図である。
【図１１】導電装置Ｘの使用に関する説明図である。
【図１２】導電装置Ｘの使用に関する説明図である。
【図１３】導電装置Ｘを用いた電子機器に関する構成図である。
【図１４】図１３に示すＡ−Ａ断面図に関する拡大図である。
【図１５】導電装置Ｘの他の構成を示す構成図である。
【図１６】図１５に示す導電装置Ｘの使用に関する説明図である。
【図１７】携帯型の電子機器に関する構成図である。
【図１８】図１７に示すＢ−Ｂ断面図に関する拡大図である。
【発明を実施するための形態】
【００２５】
本発明の実施形態について各図面を参照しながら説明する。なお以下の説明における上下、左右および前後の各方向（互いに直交する方向）は、図１等に示す通りである。図１〜図３は導電装置Ｘを各方向から見たときの外観斜視図であり、図４は導電装置Ｘの分解斜視図である。
【００２６】
図１、図２に示すように導電装置Ｘは、作動部１、ハウジング部２、第１金属部材３、第２金属部材４、および左右一対の補強金具５(図４参照)の各部品から構成されている。なお導電装置Ｘの形状は、左右対称の形状となっている。以下の説明では、左右両方に同等のものが存在する要素について、引用符の最後に「Ｌ」を付加したものは左側のものであることを示し、引用符の最後に「Ｒ」を付加したものは右側のものであることを示す。
【００２７】
ハウジング部２は、前後方向へ貫通した孔を有する筒状となっている。より具体的に説明すると、ハウジング部２は上下左右の各外面を有しており、前側の外面には前側開口部２ａが、後側の外面には後側開口部２ｂがそれぞれ設けられている。ハウジング部２内部に形成されたスペースＳＰは、各開口部（２ａ、２ｂ）を介して外部へ連通している。
【００２８】
スペースＳＰには、第１金属部材３と第２金属部材４が挿入されている。第１金属部材３は、前後方向へ可動方向が制限されるようにスペースＳＰへ挿入されている。第１金属部材３の前側端部は、前側開口部２ａから前方へ突出しており、作動部１の上部後側の面に接着固定されている。作動部１の下部は前記ハウジング部２の下部外面よりも下方に位置している。つまり、作動部１は、第１金属部材３の前側端部に片持ち支持されている。
【００２９】
第１金属部材３の前側部分は、ハウジング部２に対して前後方向へ可動な可動部を構成しており、作動部１の押圧に対応して移動する。第２金属部材４は、ハウジング部２に取付け固定されている。ハウジング部２の前側下寄り部分の左右それぞれには、ハウジング部２を補強する補強金具５が取り付けられている。前記補強金具５，５、第２金属部材４が設けられているハウジング部２の下部外面が、当該導電装置Ｘを回路基板等に取付ける取付面となる。なお、基本的に樹脂製であるハウジング部２に対して前記補強金具５，５は金属であり、後述する回路基板の金属部分に半田付けされ、ハウジング部２を固定する。また、前記第２金属部材４は前記回路基板の導体配線に半田付けされ、ハウジング部２の固定と、前記導体配線との電気的接続を達成する。
【００３０】
作動部１は下端が前記ハウジング部２の下部外面よりも下方まで延びている。作動部１の前側下寄り部分には、後方へ押圧される半球状の作用部１２ａが設けられており、作用部１２ａが押圧されると、作動部１は後方へ移動し、これに伴って第１金属部材３も後方へ移動する。当該移動により第１金属部材３は、ハウジング部２に固定されている第２金属部材４へ接触し、双方は電気的に導通する。これを利用して導電装置Ｘは、後述するように、サイドスイッチ等に利用可能である。
【００３１】
次に、導電装置Ｘを構成する各部品について説明する。
【００３２】
作動部１は、金属（例えばリン青銅）の板材を加工して略平板状に形成したもので、外縁は上下左右の各辺を有する矩形状となっている。矩形状の左右両側の縁近傍は、湾曲するように（曲げＲが比較的大きくなるように）後方へほぼ直角に曲げられている。このような曲げ加工が施されることにより、強度が大幅に高められている。作動部１は、切削加工等により形成されても構わない。
【００３３】
前記作動部１は前記ハウジング部２の下部外面よりも下方に延出しているが、この延出部が被押圧部１１であって、その中心部分に半球状の作用部１２が形成されている。即ち、作動部１の片持ち支持点からハウジング部の下部外面に至る距離に対して、相当長く延出した位置に作用部１２が形成されている。
【００３４】
作動部１の後側の面における上寄り部分には、第１金属部材３の前側形成部３０（図４を参照）が溶接固定される。また作動部１の被押圧部１１には、例えば後方からの絞り加工によって前方へ突出した作用部１２（概ね半球状に盛り上がった部分）が形成されており、当該突出した部分の先端付近が作用点となる。作用部１２は、導電装置Ｘにおける最も前方に位置した部分であり、前方から近接する物体によって後方へ押圧される。作用部１２は金めっき等が施されており、耐腐食性等が高められている。
【００３５】
ハウジング部２は、絶縁性の樹脂（例えばＡＢＳ樹脂）の切削加工或いは成型等により形成されている。図５〜図７には、ハウジング部２単体を斜め後方から見た場合の外観斜視図を示している。ハウジング部２は、前後に貫通したスペースＳＰを内部に有しており、スペースＳＰの上側の壁である上壁部２１Ｕ、下側の壁である下壁部２１Ｄ、左側の壁である左壁部２１Ｌ、および右側の壁である右壁部２１Ｒを有する。前記下壁部２１Ｄの外面側が導電装置Ｘの取付面となっている。
【００３６】
図５〜図７に示すように、ハウジング部２の内部には、左右の凹部（２３Ｌ、２３Ｒ）、左右の畝部（２４Ｌ、２４Ｒ）、左右の溝部（２５Ｌ、２５Ｒ）、左右の隆起部（２６Ｌ、２６Ｒ）、左右の下側ストッパ部（２７ＤＬ、２７ＤＲ）、左右の上側ストッパ部（２７ＵＬ、２７ＵＲ）、および左右の切欠き部（２８Ｌ、２８Ｒ）が設けられている。これらの各部は、主として、第１金属部材３や第２金属部材４を適切に固定したり、動きを規制したりするために設けられる。
【００３７】
各畝部（２４Ｌ、２４Ｒ）は、下壁部２１Ｄの内面上に、前後方向へ伸びるように設けられている。なお左壁部２１Ｌと左側の畝部２４Ｌの間は、左側の凹部２３Ｌとなっており、右壁部２１Ｒと右側の畝部２４Ｒの間は、右側の凹部２３Ｒとなっている。各凹部（２３Ｌ、２３Ｒ）は上方と後方が開放されており、前方は各下側ストッパ部（２７ＤＬ、２７ＤＲ）に塞がれている。
【００３８】
左側の畝部２４Ｌの右側の面には、前後方向に伸びた溝部２５Ｌが設けられ、右側の畝部２４Ｒの左側の面には、前後方向に伸びた溝部２５Ｒが設けられている。これらの溝部（２５Ｌ、２５Ｒ）は、後方は外部へ開放されており、前方は壁で塞がれている。また溝部２５Ｌと溝部２５Ｒは対向しており、各溝部（２５Ｌ、２５Ｒ）の下側の壁は、下壁部２１Ｄの内面と同一である。図６に示すように、各畝部（２４Ｌ、２４Ｒ）間のスペースの幅（左右方向の長さ）について、各溝部（２５Ｌ、２５Ｒ）に挟まれた領域での幅を幅Ｗ１とし、それ以外の領域での幅を幅Ｗ２（＜Ｗ１）とする。
【００３９】
各隆起部（２６Ｌ、２６Ｒ）は、各畝部（２４Ｌ、２４Ｒ）の前側部分において上方へ隆起するように設けられている。各隆起部（２６Ｌ、２６Ｒ）の後側部分は、前方へ向けて徐々に高くなるように傾斜している。左側の上側ストッパ部２７ＵＬは、上壁部２１Ｕの左前部分から下方へ張出すように設けられている。右側の上側ストッパ部２７ＵＲは、上壁部２１Ｕの右前部分から下方へ張出すように設けられている。
【００４０】
左側の切欠き部２８Ｌは、上壁部２１Ｕ内面の左端部分に設けられ、前後へ伸びる溝を形成している。右側の切欠き部２８Ｒは、上壁部２１Ｕ内面の右端部分に設けられ、前後へ伸びる溝を形成している。各切欠き部（２８Ｌ、２８Ｒ）は後方が開放されており、前方は各上側ストッパ部（２７ＵＬ、２７ＵＲ）で塞がれている。図６に示すように、各凹部（２３Ｌ、２３Ｒ）と各切欠き部（２８Ｌ、２８Ｒ）の間のスペースの高さ（上下方向の長さ）を、高さＨ１とする。
【００４１】
図８および図９は、導電装置Ｘのうちハウジング部２および補強金具５を透過させ、作動部１を固定した第１金属部材３および第２金属部材４を、斜め後方視点から見た様子を示している。
【００４２】
第１金属部材３は、金属（例えばリン青銅）の板材を加工して形成されており、前側形成部３０の上下左右の各部分を後方へ折り曲げて形成されている。前側形成部３０は前後の両面を有し、前面が作動部１に溶着固定される。
【００４３】
前側形成部３０の上側部分を後方へ折り曲げた部分（上側形成部）には、上下の両面を有するように後方へ伸びた上側板状部３５が設けられている。上側板状部３５の後寄り部分は、上壁部２１Ｕの内面に摺接する（前後へスライド可能に接触する）上ガイド部３５ａとなっている。
【００４４】
前側形成部３０の下側部分を後方へ折り曲げた部分（下側形成部）には、前側形成部３０に近い側から順に、下側板状部３６、上向き凸部３７、および下ガイド部３８が設けられている。下側板状部３６は、上下の両面を有するように後方へ伸びており、上向き凸部３７は、下側板状部３６の後側において上向きの凸部（左右へ伸びる畝のような部分）を形成するように上方へ盛り上がっている。下ガイド部３８は、上向き凸部３７の後側において上下の両面を有するように後方へ伸びている。下ガイド部３８は、下側板状部３６よりも下方に位置している。
【００４５】
前側形成部３０の左側部分を後方へ折り曲げた部分（左側形成部）には、前側形成部３０に近い側から順に、板状部３１Ｌ、バネ部３２Ｌ、固定部３３Ｌが設けられている。板状部３１Ｌは、左右の両面を有するように後方へ伸びている。また板状部３１Ｌの後寄り部分には、前寄り部分よりも上方へ張出した上側張出し部３１ａＬと、前寄り部分よりも下方へ張出した下側張出し部３１ｂＬが設けられている。そのため板状部３１Ｌの上下方向サイズについては、これらの張出し部（３１ａＬ、３１ｂＬ）が設けられている分、前寄り部分に比べて後寄り部分の方が大きい。
【００４６】
バネ部３２Ｌは、板状部３１Ｌの後端から後方へ蛇行しながら進むように形成されており、前後方向に伸縮するバネの役割を果たす。バネ部３２Ｌの上下方向サイズは、板状部３１Ｌの後寄り部分とほぼ同等である。固定部３３Ｌは、ハウジング部２内部に固定される板状の部分であり、上側の小突起３３ａＬ、下側の小突起３３ｂＬ、および後側部分から下方へ突出した突起３３ｃＬを有する。上側の小突起３３ａＬと下側の小突起３３ｂＬは、上下方向へ重なる位置に設けられている。また突起３３ｃＬは、固定部３３Ｌの前寄り部分よりも下方へ突出している。
【００４７】
前側形成部３０の右側部分を後方へ折り曲げた部分（右側形成部）には、前側形成部３０に近い側から順に、板状部３１Ｒ、バネ部３２Ｒ、固定部３３Ｒが設けられている。板状部３１Ｒは、左右の両面を有するように後方へ伸びている。また板状部３１Ｒの後寄り部分には、前寄り部分よりも上方へ張出した上側張出し部３１ａＲと、前寄り部分よりも下方へ張出した下側張出し部３１ｂＲが設けられている。そのため板状部３１Ｒの上下方向サイズについては、これらの張出し部（３１ａＲ、３１ｂＲ）が設けられている分、前寄り部分に比べて後寄り部分の方が大きい。
【００４８】
バネ部３２Ｒは、板状部３１Ｒの後端から後方へ蛇行しながら進むように形成されており、前後方向に伸縮するバネの役割を果たす。バネ部３２Ｒの上下方向サイズは、板状部３１Ｒの後寄り部分とほぼ同等である。固定部３３Ｒは、ハウジング部２内部に固定される板状の部分であり、上側の小突起３３ａＲ、下側の小突起３３ｂＲ、および後側部分から下方へ突出した突起３３ｃＲを有する。上側の小突起３３ａＲと下側の小突起３３ｂＲは、上下方向へ重なる位置に設けられている。また突起３３ｃＲは、固定部３３Ｒの前寄り部分よりも下方へ突出している。
【００４９】
第２金属部材４は、金属（例えばリン青銅）の板材を加工して形成されており、後方から順に引出電極部４１、固定部４２、短板状部４３、および長板状部４４が設けられている。固定部４２は、ハウジング部２内部に固定される部分であり、上下の両面を有した板状に形成されている。固定部４２の左側の縁には左側の小突起４２ａＬが設けられ、固定部４２の右側の縁には右側の小突起４２ａＲが設けられている。
【００５０】
固定部４２の後側の縁には、斜め後下方向へ伸びる引出電極部４１が連接している。固定部４２の前側の縁には、上方へ短く伸びる短板状部４３が連接している。短板状部４３の上側の縁には、前方へやや長く伸びる長板状部４４が連接している。長板状部４４のやや前寄り部分には、下向き凸部４５が設けられている。下向き凸部４５は、下向きの凸部（左右へ伸びる畝のような部分）を形成するように下方へ盛り上がっている。
【００５１】
次に、上述した各部品（１〜５）を用いた導電装置Ｘの組立工程について説明する。
【００５２】
まず第１金属部材３が、後方からハウジング部２のスペースＳＰに挿入される。この挿入は、図１に示すように、左右の突起（３３ｃＬ、３３ｃＲ）がハウジング部２の後面へ当接するまで行われると完了する。なお、左右の固定部（３３Ｌ、３３Ｒ）同士の距離は、ハウジング部２の左壁部２１Ｌの内面から右壁部２１Ｒの内面までの距離とほぼ同じ、或いは僅かに小さくなっている。また各固定部（３３Ｌ、３３Ｒ）の前寄り部分の上下方向サイズは、上下の小突起（３３ａ、３３ｂ）を設けていない部分については、先述した高さＨ１（図６を参照）とほぼ同等であり、上下の小突起（３３ａ、３３ｂ）を設けた部分については、その分、高さＨ１より僅かに大きくなっている。前側形成部３０を先頭にして第１金属部材３を後方からスペースＳＰへ挿入し、各固定部（３３Ｌ、３３Ｒ）を高さＨ１のスペースへ嵌め込むことが出来る。
【００５３】
また第１金属部材３の下側形成部の幅（左右方向のサイズ）について、下ガイド部３８の幅は、図６に示す幅Ｗ１よりも僅かに小さく、幅Ｗ２よりも大きくなっている。一方、それ以外の部分（下側板状部３６や上向き凸部３７を含む）の幅は、幅Ｗ２よりも小さくなっている。第１金属部材３は、下ガイド部３８が幅Ｗ１のスペース（左右の溝部２５の間）を通るように、かつ、下側板状部３６や上向き凸部３７が幅Ｗ１のスペースより上方を通るようにして、スペースＳＰへ挿入される。
【００５４】
なお第１金属板材３の挿入が完了した状態では、左右の上側の小突起（３３ａＬ、３３ｂＬ）が上壁部２１Ｕへ、左右の下側の小突起（３３ｂＬ、３３ｂＲ）が下壁部２１Ｄへそれぞれ少し食い込み、第１金属部材３がハウジング部２から容易に抜け出すことはない。また後方からスペースＳＰへ挿入された第１金属部材３は、各上側張出し部（３１ａＬ、３１ａＲ）が各上側ストッパ（２７ＵＬ、２７ＵＲ）へ当接し、各下側張出し部（３１ｂＬ、３１ｂＲ）が各下側ストッパ（２７ＤＬ、２７ＤＲ）へ当接する。これにより、第１金属部材３の前方への移動は規制される。
【００５５】
更に、第１金属部材３の挿入が完了した状態では、各バネ部（３２Ｌ、３２Ｒ）が少し縮んだ状態となっている。そのため各バネ部（３２Ｌ、３２Ｒ）の弾性力によって、各上側張出し部（３１ａＬ、３１ａＲ）が各上側ストッパ（２７ＵＬ、２７ＵＲ）に密着し、各下側張出し部（３１ｂＬ、３１ｂＲ）が各下側ストッパ（２７ＤＬ、２７ＤＲ）に密着した状態で、第１金属部材３の位置は安定する。またこの状態では、前側形成部３０は、ハウジング部２の前側開口部２ａより前方へ突出している。
【００５６】
第１金属部材３が後方からスペースＳＰに挿入された状態で、前側形成部３０の前面が作動部１に溶接固定（接着固定）される。また第１金属部材３がスペースＳＰに挿入された後、第２金属部材４がスペースＳＰに挿入される。第２金属部材４の挿入は、図１に示すように、スペースＳＰ内へ固定部４２が完全に収容されるまで行われると完了する。
【００５７】
第２金属部材４の幅（左右方向のサイズ）について、固定部４２の幅は、各小突起（４２ａＬ、４２ａＲ）を設けていない部分については、先述した幅Ｗ１（図６を参照）とほぼ同等であり、左右の小突起（３３ａ、３３ｂ）を設けた部分については、その分、幅Ｗ１より僅かに大きくなっている。また長板状部４４の前側先端付近（下向き凸部４５よりも前側）の幅は、幅Ｗ２よりも大きくなっている。一方、それ以外の部分（短板状部４３を含む）の幅は、幅Ｗ２よりも小さくなっている。
【００５８】
前側形成部３０を先頭にして、第２金属部材４が後方からスペースＳＰへ挿入され、固定部４２が幅Ｗ１のスペース（各溝部（２５Ｌ、２５Ｒ）の間）へ嵌め込まれる。また当該挿入の際、固定部４２以外の部分が、幅Ｗ１のスペースよりも上方を通るようにすることが出来る。
【００５９】
更に当該挿入の際、長板状部４４の前側先端付近は、ハウジング部２内部にある各隆起部（２６Ｌ、２６Ｒ）に接触する。長板状部４４の前側先端付近は、各隆起部（２６Ｌ、２６Ｒ）の後側に設けた傾斜に沿って少し持ち上げられ、最終的には各隆起部（２６Ｌ、２６Ｒ）の上面に配置される。第２金属部材４の固定部４２より前方の部分は、固定部４２を固定端とした板バネとして機能する。そのため、長板状部４４の前側先端付近は、隆起部２６の上面に密着して安定する。
【００６０】
第２金属板材４の挿入が完了した状態では、各小突起（４２ａＬ、４２ｂＬ）が各溝部（２５Ｌ、２５Ｒ）に少し食い込み、第２金属部材４がハウジング部２から容易に抜け出すことはない。なお補強金具５は、任意の時点でハウジング部２の所定箇所（図３等を参照）に取り付けられる。以上に説明した組立工程を経て導電装置Ｘが完成する。
【００６１】
図１０は、導電装置Ｘを左右に二分する面（左右対称である導電装置Ｘの対称面）で切断した場合における、左方視点から見た断面図である。なお図１０には、初期状態（外部からの押圧等を受けていない状態）の導電装置Ｘが示されている。
【００６２】
第１金属部材３について、下ガイド部３８は、各溝（２５Ｌ、２５Ｒ）の前寄りの領域に位置する。下ガイド部３８の厚み（上下方向サイズ）は、左右の溝（２５Ｌ、２５Ｒ）の幅（上下方向サイズ）とほぼ同等である。そのため、下ガイド部３８の上側の面は、左右の溝（２５Ｌ、２５Ｒ）の上側の面に摺接し、下ガイド部３８の下側の面は、左右の溝（２５Ｌ、２５Ｒ）の下側の面（下壁部２１Ｄの内面と見ることも出来る）に摺接している。また上ガイド部３５ａは、上壁部２１Ｕの内面に摺接している。
【００６３】
第２金属部材４について、固定部４２は、各溝（２５Ｌ、２５Ｒ）の後端部分に固定されている。下向き凸部４５の下端は、第１金属部材３の上向き凸部３７の上端より下方に位置する。長板状部４４の前側先端は、上向き凸部３７の上端より上方に位置し、下ガイド部３８は、下向き凸部４５の下端より下方に位置する。また、上向き凸部３７は、下向き凸部４５よりも前方に位置する。このように初期状態では、上向き凸部３７と下向き凸部４５は接触しておらず、第１金属部材３と第２金属部材４は電気的に導通していない。
【００６４】
作動部１について、作用部１２は、前記の通り前側開口部２ａと前後方向へ重なる領域（図１０に示す領域α）よりも下方に配置されている。より詳しく説明すると、作用部１２は、下壁部２１Ｄの外面の位置（図１０に示す位置β）よりも下方に配置されている。
【００６５】
上述した導電装置Ｘは、例えば、図１１に示すように電気器具の厚めの基板イの前側の縁近傍において、下壁部２１Ｄの外面（取付面）を基板上に固定している。つまり、補強金具５，５を回路基板イの表面の金属部に半田付けすることにより固定する。また上下方向について、引出電極部４１の下端および各突起（３３ｃＬ、３３ｃＲ）の下端は、下壁部２１Ｄの外面とほぼ同じ位置にある。そのため基板イ上に導電装置Ｘを固定すると、引出電極部４１および各突起（３３ｃＬ、３３ｃＲ）を、当該基板上の電気回路（配線パターン等）へ容易に接続することが出来ると同時に、ハウジング部２の固定を補助する。図１１に示す状態では、作動部１は基板イの前側の縁より前方に位置している。また、被押圧部１１の作用部１２は基板イの側面に対応している。更に、作動部１と基板の前側の縁との間には、少なくとも上向き凸部３７が下向き凸部４５へ当たるまで作動部１が後方へ可動となるように（図１２を参照）、隙間が設けられている。
【００６６】
図１１に示す導電装置Ｘは、作用部１２が後方へ押されると、図１２に示すように、作動部１と第１金属部材３の前寄り部分（可動部）が一体的に後方へ移動する。なおこのとき、押圧される位置（作用部１２の位置）と前側開口部２ａの位置は間口方向（この場合は上下方向）にずれているため、上記押圧によって、可動部を傾けようとする力（図１２に矢印Ｆで示す向きの力）も発生することになる。しかし可動部の移動の際、上ガイド部３５ａが上壁部２１Ｕの内面を摺動し、下ガイド部３８が下壁部２１Ｄの内面と各溝部（２５Ｌ、２５Ｒ）の上側の面を摺動する。そのため、第１金属部材３の可動方向は前後方向に制限されており、可動部の傾きは抑えられる。
【００６７】
第１金属部材３が後方へ移動していくと、上向き凸部３７の後側に設けた傾斜が下向き凸部４５を上方へ徐々に持ち上げていき、最終的には図１２に示すように、上向き凸部３７と下向き凸部４５が上下方向に重なった状態となる。この状態では、第２金属部材４の弾性力（下向き凸部４５を下方へ付勢する力）によって上向き凸部３７と下向き凸部４５は圧接し、これらの安定した電気的導通が得られる。図１１の状態から図１２の状態に到る過程で、上向き凸部３７が下向き凸部４５を押し上げる時の衝撃が作用部１２に伝わり、クリック感を与える。なお、上向き凸部３７と下向き凸部４５には金めっき等が施されており、双方間の接触信頼性が高められている。
【００６８】
また、上向き凸部３７と連接する下ガイド部３８は、上下の両面がハウジング部２に設けた壁（下壁部２１Ｄと、各溝部（２５Ｌ、２５Ｒ）の上側の面）に摺接し、上下方向の位置が特に厳しく規制されている。そのため、上向き凸部３７の上下方向位置が極めて安定し、上向き凸部３７と下向き凸部４５の接触不良や接触圧のばらつき等が極力抑えられる。なお、接触状態になった後で作用部１２の押圧を解除すると、バネ部３２Ｌ、３２Ｒの弾性力により可動部の前側形成部３０は前方へ移動し、これに伴って作用部１２も押圧前の位置に移動する。従って、図１１の状態に戻るので、上向き凸部３７と下向き凸部４５とは離れ、接続状態が解除される。この元に復帰する時間で、操作部ＯＰの連続操作スピードが決まる。
【００６９】
図１３は、本実施形態の導電装置Ｘが用いられた携帯型の電子機器（サイドスイッチを有するスマートフォン）Ｙの構成図であり、図１４は、図１３に示したＡ−Ａ断面図の一部を拡大表示した図である。機器Ｙは、表面に電気回路が搭載された薄い基板Ｙ１、機器に駆動電力を供給するバッテリーＹ２、上側が開口した筐体Ｙ３、および筐体Ｙ３の上に被せる蓋（不図示）などから構成されている。なおこれらの各部（Ｙ１〜Ｙ３）は、図１７および図１８に示す機器Ｙ´のものと基本的に同等である。
【００７０】
本実施形態では、図１１に示した例と同様に、基板Ｙ１上の前側の縁近傍に導電装置Ｘが固定されている。この導電装置Ｘはスマートフォンなど薄型の電子機器に用いられる小型のものであり、ハウジング部２の高さが１．４ミリ、横が２ミリ程度の四角筒で奥行きが２ミリの寸法である。また、被押圧部１１の下端はハウジング２の下面より０．８ミリ下方に位置している。基板Ｙ１は厚さが０．８ミリ程度であるから、作動部１の作用部１２は、基板Ｙ１の側面に対応している。そして導電装置Ｘが、図１７に示すスイッチ用部品ＳＥの役割を兼ねており、本実施形態の機器Ｙではスイッチ用部品ＳＥの設置が省略されている。
【００７１】
使用者によって操作部ＯＰが後方へ押圧操作されると、操作部ＯＰの後側に配置された作用部１２も後方へ押圧される。作用部１２を含む可動部が所定量後方へ移動すると、上向き凸部３７が下向き凸部４５に接触し、第１金属部材３と第２金属部材４が電気的に導通する。なお機器Ｙは、例えば、各突起（３３ｃＬ、３３ｃＲ）の下端（第１金属部材３の一部）と引出電極部４１（第２金属部材４の一部）の間に所定電圧を印加しておき、上向き凸部３７が下向き凸部４５に接触したときに生じる電流又は電圧降下等を、押圧操作がなされたことを示す電気信号として取得する。これにより機器Ｙは、上向き凸部３７と下向き凸部４５が電気的に接続されたことを検出し、当該検出に応じて所定の処理（例えば、電源のＯＮ／ＯＦＦ切替や、音量の増減など）を行う。
【００７２】
導電装置Ｘは、上記のように押圧操作に応じた電気信号を発生させ、基板Ｙ１上の回路へ直接的に出力可能である。そのため導電装置Ｘを用いれば、当該電気信号を基板Ｙ１上の電気回路へ伝達するための配線は不要である。また、各バネ部（３２Ｌ、３２Ｒ）の弾性力により作用部１２を操作部ＯＰに向けて付勢し、作用部１２を操作部ＯＰへ常時接触させることも可能である。
【００７３】
更に導電装置Ｘはハウジング部２を基板Ｙ１上に固定しておき、作用部１２を含む作動部１の一部だけをサイドスイッチＯＰの後方に配置しておけば良い。このように本実施形態の導電装置Ｘによれば、配置形態の柔軟性に優れたスイッチ用部品が実現可能であり、機器の製造コスト増大や製造工程の複雑化などが抑えられる。また、作用部１２を前方に付勢するバネ部（３２Ｌ、３２Ｒ）や、スイッチの接点となる上向き凸部３７および下向き凸部４５などは、ハウジング部２によって適切に保護され、品質や性能の劣化は極力抑えられる。
【００７４】
また導電装置Ｘは、スイッチ用部品に限られず、他の用途にも利用可能である。一例を挙げると、導電装置Ｘは、作用部１２に接触する接続対象を引出電極部４１（或いは、各突起（３３ｃＬ、３３ｃＲ）の少なくとも一方）に繋がる被接続対象（回路など）へ電気的に接続する部品（導体間の接続部品）としても利用可能である。例えば、携帯型電子機器におけるアンテナを回路基板の回路に接続させる接続用部品として用いることが出来る。この場合、各バネ部（３２Ｌ、３２Ｒ）の弾性力により被押圧部１１に形成された作用部１２をアンテナの電気的接続部に圧接するので、電気的接続が安定、確実に行われる。従って、導電装置Ｘはスイッチ部品としても、接続部品としても用いることが出来るので、応用範囲が広く汎用性がある。
【００７５】
なお、接続部品の用途に特化する場合、初期状態の段階から第１金属部材３と第２金属部材４が電気的に接続されても構わない。図１５、図１６はその一例を示す断面図であって、携帯電話のアンテナを回路基板Ｙ１に接続するコネクタとして用いるものである。図１５、図１６のコネクタが図１１、図１２の導電装置と異なる構成は下側板状部３６が上向き凸部３７を設けることなく下向きに下降してガイド部３８に至る形状であり、第２金属部材４の下向き凸部４５が当初から下側板状部３６に電気的に接続された状態となっていることである。この状態から作用部１２が押圧されると、電気的接続状態を維持しながら前記下向き凸部４５が前方に移動し図１６の状態に到る。
【００７６】
前記作用部１２は筐体Ｙ３の側壁内面に沿って貼着形成されたアンテナ用導電面（図示せず）に圧接する。即ち、基板Ｙ１の縁部上面に固定された導電装置Ｘは当該基板Ｙ１を筐体Ｙ３内に設置する場合、前記バッテリーＹ２側面と前記筐体Ｙ３の側壁との隙間に上方から作動部１の下端を挿入するように圧入し、その作用部１２の先端とアンテナ用導電面とを接触させる。前記隙間は製品によってバラつきがあるが、前記作用部１２は導電装置Ｘのバネ部３２Ｒ，３２Ｌのバネ作用により弾性的に対応するので、その接続が安定する。このように、導電装置Ｘを用いると、筐体Ｙ３の側壁を有効に利用することが出来る。
【００７７】
以上に説明した通り、本実施形態の導電装置Ｘは、ハウジング部（内部に設けたスペースＳＰ、および、スペースＳＰの前側の開口部２ａを有する）と、可動部（スペースＳＰへ挿入された第１金属部品３の一部）と、開口部２ａよりも前方に位置する作動部１と、前記可動部を前方へ付勢するバネ部（３２Ｌ、３２Ｒ）と、を備える。また、前記可動部に設けられた第１導電部（上向き凸部３７）は、ハウジング部２に固定された第２導電部（下向き凸部４５）へ電気的に接続される。
【００７８】
作動部１は、ハウジング部２と前後方向へ重ならない当該ハウジング部２の外側面より外側に至るまで下方（側方の一形態）へ延出した延出部と、前記延出部内に設けられ後方への押圧を受ける作用部１２と、を有する。更に前記可動部は、前記可動部の可動方向が前後方向へ制限されており、作用部１２が後方への押圧を受けることにより、前記付勢に抗して後方へ移動する。
【００７９】
押圧の力を利用して可動部を効率よく移動させる観点から、通常であればハウジング部２の開口部と前後方向へ重なる領域に被押圧部が設けられるところであるが、本実施形態の導電装置Ｘでは、被押圧部をあえて当該ハウジング部２の外側面より外側に設けることとした。これにより導電装置Ｘは、押圧される位置の真後以外にハウジング部２を配置可能なスイッチ用部品として機能する。
実施形態では、前記作動部１の被押圧部に半球状の作用部１２を形成しているが、操作部ＯＰの背面側に後方へ突出する押圧凸部を形成することにより、前記作用部１２を被押圧部１１に形成しなくても、前記押圧凸部が接触する被押圧部１１の表面部分が作用部１２として作用する。
【００８０】
例えば図１４に示すように、操作部ＯＰと基板Ｙ１上の位置が上下方向にずれていても、導電装置Ｘは、作用部１２をサイドスイッチＯＰの真後に位置させつつ、基板Ｙ１上の余裕のあるスペースに配置可能である。なお作用部１２の具体的な位置等は、導電装置Ｘが用いられる電子機器の構成等が予め判っていれば、これに合わせて適切に設定すれば良い。
【００８１】
また導電装置Ｘは、前記可動部が後方へ所定量移動することにより、上向き凸部３７と下向き凸部４５が電気的に接続される。更に上向き凸部３７と下向き凸部４５の接点は、スペースＳＰ内に設けられている。そのため導電装置Ｘは、押圧操作を受付けるスイッチ用部品等として好適である。
【００８２】
また前記可動部は、スペースＳＰの上側の壁に摺接する上ガイド部３５ａと、スペースＳＰの下側の壁に摺接する下ガイド部３８と、が形成されている。これにより、前記可動部の可動方向を前後方向へ制限するための構成が容易に得られている。
【００８３】
また第１金属部材は、前側形成部３０（前後の両面を有し、作動部１が固定される部分）と、上側形成部（上ガイド部３５ａを含むように、前側形成部３０の上側を後方へ折り曲げて形成された部分）と、下側形成部（下ガイド部３８を含むように、前側形成部３０の下側を後方へ折り曲げて形成された部分）と、左側形成部（バネ部３２Ｌを含むように、前側形成部３０の左側を後方へ折り曲げて形成された部分）と、右側形成部（バネ部３２Ｒを含むように、前側形成部３０の右側を後方へ折り曲げて形成された部分）と、が一枚の金属板材により形成される。そのため導電装置Ｘは、効率良くかつ容易に形成可能である。
【００８４】
なお本発明の構成は、上記実施形態のほか、発明の主旨を逸脱しない範囲で種々の変更を加えることが可能である。すなわち上記実施形態は、全ての点で例示であって、制限的なものではないと考えられるべきである。本発明の技術的範囲は、上記実施形態の説明ではなく、特許請求の範囲によって示されるものであり、特許請求の範囲と均等の意味及び範囲内に属する全ての変更が含まれると理解されるべきである。
【産業上の利用可能性】
【００８５】
本発明は、スイッチ用部品や導体間の接続部品などに利用可能である。
【符号の説明】
【００８６】
Ｘ        導電装置
Ｙ        電子機器
１        作動部
１１      被押圧部
１２      作用部
２        ハウジング部
２１Ｕ    上壁部
２１Ｄ    下壁部
２１Ｌ    左壁部
２１Ｒ    右壁部
２３Ｌ、２３Ｒ    凹部
２４Ｌ、２４Ｒ    畝部
２５Ｌ、２５Ｒ    溝部
２６Ｌ、２６Ｒ    隆起部
２７ＤＬ、２７ＤＲ    下側ストッパ部
２７ＵＬ、２７ＵＲ    上側ストッパ部
２８Ｌ、２８Ｒ    切欠き部
３      第１金属部材
３０    前側形成部
３１Ｌ、３１Ｒ    板状部
３２Ｌ、３２Ｒ    バネ部
３３Ｌ、３３Ｒ    固定部
３５      上側板状部
３５ａ    上ガイド部
３６      下側板状部
３７      上向き凸部
３８      下ガイド部
４      第２金属部材
４１    引出電極部
４２    固定部
４３    短板状部
４４    長板状部
４５    下向き凸部
５      補強金具
【図１】
2017107724.tif 000003
【図２】
2017107724.tif 000004
【図３】
2017107724.tif 000005
【図４】
2017107724.tif 000006
【図５】
2017107724.tif 000007
【図６】
2017107724.tif 000008
【図７】
2017107724.tif 000009
【図８】
2017107724.tif 000010
【図９】
2017107724.tif 000011
【図１０】
2017107724.tif 000012
【図１１】
2017107724.tif 000013
【図１２】
2017107724.tif 000014
【図１３】
2017107724.tif 000015
【図１４】
2017107724.tif 000016
【図１５】
2017107724.tif 000017
【図１６】
2017107724.tif 000018
【図１７】
2017107724.tif 000019
【図１８】
2017107724.tif 000020